(57)【要約】【課題】場所、季節、時間に合った曲を迅速に選曲・再生を行う音楽携帯端末を提供する。【解決手段】ＧＰＳ受信部と、日付・時刻を発生する時刻発生部と、所定の日付と時刻におけるユーザの行動予定を入力し、ユーザのスケジュールを管理するスケジューラを備え、装置全体の制御を行う制御部と、曲目の特徴から作成した曲目キーワード及び該曲目キーワードに対応した曲目を記憶した記憶部とを備えており、さらに、前記制御部は、前記時刻発生部から曲目の選択・再生時の日付・時刻におけるユーザの行動データを前記スケジューラから入力するとともに、前記ＧＰＳ受信部からの位置データを入力し、連想検索のためのキーワードを作成する簡易連想検索手段を備えている。この簡易連想検索手段は、前記キーワードから前記曲目キーワードを連想し、前記記憶部から所望する曲目を自動的に選曲・再生する。【選択図】図１
2007241924.tif 000002
【特許請求の範囲】
【請求項１】
ＧＰＳ受信部と、日付・時刻を発生する時刻発生部と、所定の日付と時刻におけるユーザの行動予定を入力し、ユーザのスケジュールを管理するスケジューラと、装置全体の制御を行う制御部と、曲目の特徴から作成した曲目キーワード及び該曲目キーワードに対応した曲目を記憶した記憶部と、を備えた携帯端末であって、
前記制御部は、前記時刻発生部から曲目の選択・再生時の日付・時刻におけるユーザの行動データを前記スケジューラから入力するとともに、前記ＧＰＳ受信部からの位置データを入力し、連想検索のためのキーワードを作成する簡易連想検索手段を備え、
前記簡易連想検索手段は、前記キーワードから前記曲目キーワードを連想し、前記記憶部から所望する曲目を自動的に選曲・再生することを特徴とする携帯端末。
【請求項２】
前記簡易連想検索手段により作成される前記キーワードは、前記曲目キーワードを連想し得るにたる複数個のサブキーワードから構成されていることを特徴とする請求項１に記載の携帯端末。
【請求項３】
前記曲目キーワードは、前記曲目の特徴を表すに十分な複数個のサブキーワードから構成されていることを特徴とする請求項１に記載の携帯端末。
【請求項４】
前記簡易連想検索手段は、作成した前記キーワードと前記曲目キーワードと直接比較し、マッチングしたと判断した場合に、前記曲目キーワードに対応する複数個の曲目を選曲することを特徴とする請求項１から請求項３のいずれか１項に記載の携帯端末。
【請求項５】
さらに、前記制御部に対して、通常の音楽検索再生のためのメニュー画面及び該メニュー画面操作用のキーに加えて、前記メニュー画面に簡易連想検索を開始させるメニュー項目と操作キーを有する画面操作部を備えたことを特徴とする請求項１に記載の携帯端末。
【請求項６】
前記制御部は、さらに、ＴＰＯモード開始・終了手段を備え、
メールの着信があった後にメールの読み取り開始した場合、前記ＴＰＯモード開始・終了手段は、自動的に前記簡易連想検索手段による選曲処理を開始させ、選曲された曲のメロディをＢＧＭとして生成させた後、メールの読み取り終了時に、自動的に前記選曲処理を終了するようにしたことを特徴とする請求項１に記載の携帯端末。
【発明の詳細な説明】
【技術分野】
【０００１】
本発明は、予め記憶されている曲目の中から、場所や時間に合った曲目を自動選択し、迅速に再生する携帯端末に関する。
【背景技術】
【０００２】
従来の携帯音楽プレーヤやカラオケにおいて、曲目を選択し、視聴する場合に、歌手、演奏者、ジャンル、作曲家あるいは流行年代などのメニュー操作画面から、ユーザ自身の記憶に頼って曲目の選択等が行われている。
【０００３】
また、カラオケ装置のような複数のユーザによって使用される大型システムの場合には、曲目に関する情報である曲目情報と曲目を上記示したような歌手、演奏者、ジャンル等の複数のカテゴリに分類する楽曲カテゴリ情報とを対応付けて記憶させた曲目データベース上で管理することによって、所望の曲を簡単に検索するような技術が開示されている（特許文献１参照）。
【０００４】
さらに、再生方法からの観点から見ると、上記のような直接曲目指定を行う他に、シャッフル再生によって、再生させながら、所望の曲目が再生開始された時点で、シャッフル動作を止めて、所望の曲目を選定する方法もある。
【特許文献１】特開２００４−２４０１７９号公報
【発明の開示】
【発明が解決しようとする課題】
【０００５】
しかしながら、携帯端末においては、ユーザが外出や旅行に携帯し、その場所、季節、時間に合う所望する曲をできるだけ早く聞きたいという携帯端末の特有な要望があり、このような場合に、上述した選曲方法では、最終的には、ユーザの記憶に頼っていることと、選曲条件に場所や季節といったリアルタイムの条件が含まれていないため、迅速に所望する曲を選曲・再生することができない。
【０００６】
それゆえ、その場所、その時に、最も聴きたい曲を聞き逃してしまうケースが多かった。
【０００７】
本発明は、斯かる実情に鑑み提案されたものであって、場所、季節、時間に合った曲を迅速に選曲・再生を行う携帯端末を提供しようとするものである。
【課題を解決するための手段】
【０００８】
本発明に係る携帯端末は、上述した課題を達成するため、以下の特徴を備えている。
【０００９】
すなわち、本発明に係る携帯端末は、ＧＰＳ受信部と、日付・時刻を発生する時刻発生部と、所定の日付と時刻におけるユーザの行動予定を入力し、ユーザのスケジュールを管理するスケジューラを備え、装置全体の制御を行う制御部と、曲目の特徴から作成した曲目キーワード及び該曲目キーワードに対応した曲目を記憶した記憶部とを備えた携帯端末であって、前記制御部は、前記時刻発生部から曲目の選択・再生時の日付・時刻におけるユーザの行動データを前記スケジューラから入力するとともに、前記ＧＰＳ受信部からの位置データを入力し、連想検索のためのキーワードを作成する簡易連想検索手段を備え、
前記簡易連想検索手段は、前記キーワードから前記曲目キーワードを連想し、前記記憶部から所望する曲目を自動的に選曲・再生することを特徴とする。
【００１０】
また、本発明に係る携帯端末において、前記簡易連想検索手段により作成される前記キーワードは、前記曲目キーワードを連想し得るにたる複数個のサブキーワードから構成されていることを特徴とする。
【００１１】
また、本発明に係る携帯端末において、前記曲目キーワードは、前記曲目の特徴を表すに十分な複数個のサブキーワードから構成されていることを特徴とする。
【００１２】
また、本発明に係る携帯端末は、前記簡易連想検索手段は、作成した前記キーワードと前記曲目キーワードと直接比較し、マッチングしたと判断した場合に、前記曲目キーワードに対応する複数個の曲目を選曲することを特徴とする。
【００１３】
また、本発明に係る携帯端末は、さらに、前記制御部に対して、通常の音楽検索再生のためのメニュー画面及び該メニュー画面操作用のキーに加えて、前記メニュー画面に簡易連想検索を開始させるメニュー項目と操作キーを有する画面操作部を備えたことを特徴とする。
【００１４】
また、本発明に係る携帯端末において、前記制御部は、さらに、ＴＰＯモード開始・終了手段を備え、メールの着信があった後にメールの読み取り開始した場合、前記ＴＰＯモード開始・終了手段は、自動的に前記簡易連想検索手段による選曲処理を開始させ、選曲された曲のメロディをＢＧＭとして生成させた後、メールの読み取り終了時に、自動的に前記選曲処理を終了するようにしたことを特徴とする。
【発明の効果】
【００１５】
以上説明したように、上述した構成を備えているため、下記のような効果を奏することができる。
【００１６】
本発明に係る携帯端末によれば、スケジューラに書き込まれたユーザの行動予定データに応じたその場の雰囲気にフィットした所望する曲目を自動的かつ迅速に選曲し、再生することが可能であり、特に、時間、季節、場所等のデータが連想キーワードとして含まれているので、フィットする確率を高くすることが可能である。
【００１７】
また、本発明に係る携帯端末によれば、簡易連想検索手段により作成されるキーワード及び曲目キーワードが、複数個のサブキーワードから構成されていることから、両者のキーワードを単純に比較することが可能であり、連想処理の速度を高めることができ、迅速に、所望する曲目を選曲・再生することが可能である。
【００１８】
また、本発明に係る携帯端末によれば、音楽再生メニューに簡易連想検索処理モードであるＴＰＯモードを追加し、このモードの処理開始キーを設けたことにより、簡単に選曲・再生処理を行うことができる。
【発明を実施するための最良の形態】
【００１９】
以下、本発明に係る携帯端末の一実施形態について、添付図面を参照して説明する。
【００２０】
図１〜図３は、本発明に係る携帯端末の実施形態の一例であって、図中、図と同一の符号を付した部分は同一物を表わすものである。
【００２１】
まず、携帯端末として携帯電話を例に以下、図１を用いて説明するものとする。
【００２２】
図１は、携帯電話の構成を示すブロック図である。
【００２３】
図１に示すように、本発明に係る携帯電話１は、音声・メールや画像データ等の電波信号を送受信するアンテナ１０と、アンテナ１０により受信した電波信号を増幅・復調及び上記音声データ等を電波信号に変換する送受信部１１と、ユーザの行動予定データ（後述する）を管理するスケジューラ１６と、スケジューラ１６からの上記データと後記するＧＰＳ受信部１４からの位置情報に基づいて所望する曲目を検索・選曲する簡易連想検索手段１７と、後記する記憶部１９に曲目情報を記憶する際に、検索キーを作成する検索キー作成手段１８とを備えるとともに、装置全体の統括制御を行う制御部１２と、現在の位置データを出力するＧＰＳ受信部１４と、現在の時刻データを出力する時刻発生部１５と、上記スケジューラ１６に対してユーザの行動予定データ等を入力するための画面操作、携帯電話としての基本動作、例えばメール等を行う画面操作部（表示部とボタンキーを含む）２０と、曲目データを記憶する記憶部１９とを主として備えて構成されている。
【００２４】
以上、本発明に係る携帯電話１の構成例について説明したが、この内、特に、携帯電話にもともと備えられているＧＰＳ受信部１４、時刻発生部１５、画面操作部２０、スケジューラ１６及び記憶部１９と、携帯電話１の制御部１２内に備えられた簡易連想検索手段１７との構成要素によって、音楽携帯端末が構成され、この簡易連想検索手段１７が中心的な役割を担い、上記各部、各手段との連動動作により、音楽携帯端末としての機能を果たしている。
【００２５】
なお、最近、ＨＤＤ装置を搭載した携帯電話も提案されているものもあり、記憶部１９としてＨＤＤ装置が使用される可能性が高まっている。記憶部１９がＨＤＤ装置となると、ますます、記憶容量が増大し、記憶される曲目数も増大することができ、携帯電話端末における音楽携帯端末の役割も大きくなると考えられる。
【００２６】
また、記憶部１９に曲目を記憶させる場合に、ＰＣ等の外部装置から曲目をダウンロードしても良いし、インターネット等の通信回線を通して、曲目をダウンロードしてもよい。
【００２７】
次に、簡易連想検索手段による基本的な選曲フローについて、図２を用いて、以下に説明する。
【００２８】
図２は、本発明に係る携帯端末の制御部に備えている簡易連想検索手段による選曲フローを示す図である。
【００２９】
後述する簡易連想検索モード（以下、ＴＰＯモードという）がユーザにより選択されると、時刻発生部１５から月・日・時間のデータを取得し（ステップＳ２０）、スケジューラ１６により、取得した月・日・時間が読み込まれる（ステップＳ２２）。このデータに基づいて、スケジューラの操作画面から書き込まれたユーザの行動予定データが画像操作部２０に表示されるようにしてもよい。
【００３０】
ここで、上記行動予定データとしては、例えば、「旅行」、「友人との待ち合わせ」、「日帰りの外出」等があげられる。
【００３１】
当然ながら、上記のような大まかな予定より、さらに、詳細な事項が記載される場合がある。例えば、「旅行」であっても、交通手段が「飛行機」、「電車」、「車」、「船」等が記載されている場合もある。
【００３２】
また、時刻のデータからは、「季節」、「昼、夜等」等の情報も得られ、行動予定データに追加することも可能である。
【００３３】
しかし、詳細な事項が増えれば、連想探索の当たる確率が高まると考えられるが、簡易連想検索手段の連想検索処理の構成、規模の兼ね合いから、ある一定以上の情報は、追加しないようにすることが望ましい。
【００３４】
なお、ユーザがこのＴＰＯモードを使用する場合は、特に、ユーザが置かれたその場の雰囲気、ユーザの気分に大きく関わっており、特に、「聴きたい曲」が定まっている場合が多く、連想検索処理能力として、「ヒットする確率が非常に高いこと」、「即応性があること」が最も重要である。
【００３５】
簡易連想検索手段１７は、ＧＰＳ受信部１４からの位置情報と、上記スケジューラ１６からの行動予定データを読み込む。そして、これらの情報から、連想検索するための「キーワード」を作成し、このキーワードと予め記憶装置１９に記録されている「キーワードテーブル」内の「曲目キーワード」と比較し、キーワード同士がマッチングしたと判断された場合に、この曲目キーワードに対応したキーワードテーブル内の曲データを記憶装置１９から読み出し、種々の曲目から所望する曲目を選曲する（ステップＳ２３）。
【００３６】
ここで、言うまでもなく簡易連想検索手段１７は、常にＧＰＳ受信機からの情報が得られるとは限らないため、必ずしも常にＧＰＳ受信部１４からの位置情報を使用する必要はなく、スケジューラの情報のみから「キーワード」を作成し、所望するＴＰＯの曲目を割り出すことはできる。
【００３７】
ここで、スケジューラに記憶されるデータから作成される「キーワード」は、１つではなく、複数個のサブキーワードから構成されてもよい。
【００３８】
この「キーワード」から記憶装置１９内に記憶されている「キーワードテーブル内のキーワード」を導き出す方法として、上記のように、１対１の関係で結ばれている場合の他、何らかの関数関係が成立するように、両者のキーワードを作成した場合には、スケジューラによる「キーワード」を入力して、「キーワードテーブル内のキーワード」を連想させる手段を用いてもよい。このような手段として、ニューラルネットワークアルゴリズムを使用した手法もあり、この手法を使用すれば、仮に、スケジューラの行動予定情報によって作成される「キーワード」に十分な情報がなくても、所定のヒット確率を得ることも可能である。
【００３９】
次に、携帯電話１による選曲動作全体の処理の流れについて図３を用いて説明する。
【００４０】
図３は、発明の実施形態に係る携帯端末の選曲の動作フローを示すフローチャートである。
【００４１】
まず、ＴＰＯモード処理に移行させる画面操作部２０に存在するキー（ＴＰＯキーという）が押下したかどうかを判断する（ステップＳ３０）。押下していなければ（ステップＳ３０；Ｎｏ）、本処理を終了し、押下されたならば（ステップＳ３０；Ｙｅｓ）、音楽検索再生メニュー画面上に設けられているＴＰＯモードが選択されて、ＴＰＯ処理に移行する（ステップＳ３１）。
【００４２】
即ち、上述したように、スケジューラによりＴＰＯキーが押下された時点の行動予定データが読み出されて、簡易連想検索手段により、「キーワード」が生成される。そして、この「キーワード」と予め記憶装置１９に記憶されている「曲目キーワード」に基づいて連想検索し、最適なｎ個の曲が選曲される。
【００４３】
そして、選択された最初の曲を再生する（ステップＳ３２）。視聴したい曲であるならば（ステップＳ３３；Ｙｅｓ）、視聴を続行する（ステップＳ３４）。所望する曲でなければ（ステップＳ３３；Ｎｏ）、次の曲を再生するように、ステップＳ３２の処理に戻す。上記ステップＳ３２からステップＳ３３に示す処理は、複数の選曲結果をメニュー形式で予め画面操作部（表示部）２０に曲名等を表示し、そのメニュー表示結果からユーザが選択して、「ＯＫ」を指示することで前記「視聴したい」との意志を決定しても良い。
【００４４】
本曲の視聴が終了したか否かを判断し（ステップＳ３５）、終了した場合には（ステップＳ３５；Ｙｅｓ）、最終の視聴したい曲が再生終了と判断した場合（ステップＳ３６；Ｙｅｓ）、本処理を終了する。
【００４５】
また、最終の視聴曲が残っている場合には（ステップＳ３６；Ｎｏ）、次の曲を再生するステップＳ３２の処理に戻す。
【００４６】
以上説明した動作フローにおいて、メールの着信後に読み取り開始した場合に、選曲した曲のメロディをＢＧＭとして聞くことも可能である。
【００４７】
ＴＰＯモード処理で選択された曲のメロディをＢＧＭとして使用する場合の制御部１２の構成及び処理動作について以下に簡単に説明する。
【００４８】
制御部１２は、「通話又はメール」の着信時に、又はメール読み込み開始時に起動し、「通話又はメール」の着信確認時又はメール読み取り終了時に、処理を終了するＴＰＯモード開始・終了手段２２を備えている。例えば、メール着信後にメールを読む際に、このＴＰＯモード起動・終了手段２２は、画面操作部２０から、制御部１２を介してメール読み取り開始した旨の信号を受け取った後、自動的に、図３に示すＴＰＯモード処理を起動する指令信号を発生させる。
【００４９】
そして、図３に示す処理のステップＳ３０で、ＴＰＯモードであることが判断されると（ステップＳ３０；Ｙｅｓ）、ステップＳ３１で選択されたｎ個の最適な曲から、１番目に選曲された曲を選択し、その曲のメロディをＢＧＭとし、スピーカ２１等からこのメロディを流す。また、上記ｎ個の選択曲をシャッフルして、その任意の１つの曲を選択し、その曲のメロディをＢＧＭにするようにしても良い。
【００５０】
その後、メールの読み取りを終了すると、ＴＰＯモード開始・終了手段２２は、画面操作部２０から制御部１２を介して、メール読み込みが終了した旨の信号を受け取り、ＴＰＯモード処理を終了する。
【００５１】
なお、通話やメールの着信があった場合には、例えば、選択された曲のメロディを着メロとして使用することも可能である。
【００５２】
以上説明したように、ＴＰＯモードを設け、場所や時間、そのときの行動目的に応じて、所望する曲を自動的に、かつ迅速に選択し、再生することが可能な携帯電話を提供することができる。
【００５３】
尚、本発明は、上記した実施形態に限定されるものではなく、本発明の要旨を逸脱しない範囲内において種々変更を加え得ることは勿論である。
【図面の簡単な説明】
【００５４】
【図１】本発明の実施形態に係る携帯電話の構成を示すブロック図である。
【図２】本発明に係る携帯端末の制御部に備えている簡易連想検索手段による選曲フローを示す図である。
【図３】発明の実施形態に係る携帯端末の選曲動作フローを示すフローチャートである。
【符号の説明】
【００５５】
１    携帯電話
１０  送受信アンテナ
１１  送受信部
１２  制御部
１３  ＧＰＳアンテナ
１４  ＧＰＳ受信機
１５  時刻発生部
１６  スケジューラ
１７  簡易連想検索手段
１８  検索キー作成手段
１９  記憶部
２０  画面操作部（表示部）
２１  音声発生部
２２  ＴＰＯモード開始・終了手段
【図１】
2007241924.tif 000003
【図２】
2007241924.tif 000004
【図３】
2007241924.tif 000005